(57)【要約】【課題】変形性股関節症で股関節が９０度以上曲げられない、変形性膝関節症で膝関節の屈曲が困難などや、手先の力が弱まったりしたときに、靴下がはきにくくなるので、自助具として使用する布製の靴下すべり【解決手段】外側の靴下と接触する部分は、摩擦抵抗が大きい布地で構成され、内側の肌に当たる部分は、滑りが良く、摩擦抵抗の少ない布地で構成される布地の一端に、折り目を付けた硬い芯地を付け、その芯地上に、滑りが良く、摩擦抵抗の少ない布地を付け、その芯地部に、布紐の輪を付けている布製の靴下すべり【選択図】図１
2005305081.tif 000002
【特許請求の範囲】
【請求項１】
外側の靴下と接触する部分は、摩擦抵抗が大きい布地で構成され、内側の肌に当たる部分は、滑りが良く、摩擦抵抗の少ない布地で構成される布地の一端に、折り目を付けた硬い芯地を忖け、その芯地上に、滑りが良く、摩擦抵抗の少ない布地を付け、その芯地部に、布紐の輪を付けている布製の靴下すべり
【発明の詳細な説明】
【技術分野】
【０００１】  変形性股関節症で股関節が９０度以上曲げられない、変形性膝関節症で膝関節の屈曲が困難などや、手先の力が弱まったりしたときに、靴下がはきにくくなるので、自助具として使用する布製の靴下すべり
【背景技術】
【０００２】  変形性股関節症で股関節が９０度以上曲げられない、変形性膝関節症で膝関節の屈曲が困難などや、手先の力が弱まったりしたときや、肥満などにより、靴下に手が届きにくくなったときなど、介助者の手助け無しに、靴下が履ける用具が必要なときがある。【０００３】  従来から靴下面には、摩擦力があるタオル地などの布を当て、靴下を引っ張りあげやすくした合成樹脂製の靴下すべりが考案されているが、肌に当たる部分に、肌のささくれが出ていても引っかかりが少ない布地を使用し、全体を布地で作成すると、人にやさしくて良い。
【特許文献１】特開２０００−３１６７００
【特許文献２】特開２０００−３４２４３０
【特許文献３】特開２００３−１７１８０５
【特許文献４】特開２００３−２２７００７
【特許文献５】実登３０７９９４３
【非特許文献１】福井県補装具センターの靴下はき補助具「靴下すべり」
【非特許文献２】アメリカ・マダック社の靴下エイド
【発明の開示】
【発明が解決しようとする課題】
【０００４】  変形性股関節症で股関節が９０度以上曲げられない、変形性膝関節症で膝関節の屈曲が困難などや、手先の力が弱まったりしたときや、肥満などにより、靴下に手が届きにくくなったときなど、介助者の手助け無しに、靴下が履ける用具で人にやさしいものが望まれる。
【課題を解決するための手段】
【０００５】  外側の靴下と接触する部分は、靴下と良く接触するパイル地のような生地で、内側の肌に当たる部分は、滑りが良く、肌にささくれが出ていても引っ掛かりが少なく、人の肌にやさしいシャーリング仕上げのような生地で構成される布地本体の一端に、折り目を付けた硬い芯地を付け、その芯地上に、キュプラの裏地のように、滑りやすく人の肌にやさしい生地を付け、その芯地部に、長い幅広の布紐の輪を付けている布製の靴下すべりで、本体を折り目に沿って折り、靴下のつま先部まで、はめ込んだ後、芯地部から足を挿入して、長い幅広の布紐の輪を引っ張ることにより、靴下が履け、靴下すべりが靴下から抜くことができ、同様な操作により、他方の靴下も履けることになる。
【発明の効果】
【０００６】  一端に長いひもがついているので、変形性股関節症で股関節が９０度以上曲げられない、変形性膝関節症で膝関節の屈曲が困難などや、手先の力が弱まったりしたときや、肥満などにより、靴下に手が届きにくくなったときなど、介助者の手助け無しに、靴下が履ける。【０００７】  外側の靴下と接触する部分は、パイル地のような布で構成されているので、内側の肌に当たる部分のシャーリング仕上げなどの生地より靴下生地と良く接触し、靴下を引張り上げやすい。【０００８】  内側の肌に当たる部分は、肌にささくれが出ていても引っ掛かりが少なく、滑りが良いシャーリング仕上げなどの布地とするので、人の肌にやさしく、滑りやすいので、靴下を引張り上げやすい。【０００９】  プラスチック製の靴下すべりに比べて、硬い芯地に折り目を付けている布地製なので、折り畳みができ、かさばらないので持ち運びがしやすい。【００１０】  一端に折り目を付けた硬い芯地の上に、キュプラの裏地のように滑りやすく人の肌にやさしい生地を縫い付けているので、足を靴下すべりおよび靴下の中に入れやすくなっている。
【発明を実施するための最良の形態】
【００１１】  外側の靴下と接触する部分は、パイル地のタオル地で構成され、内側の肌に当たる部分は、肌にささくれが出ていても引っ掛かりが少なく、滑りが良いシャーリング仕上げのタオル地で構成される布地（全長２５ｃｍ〜４３ｃｍ、全幅２０ｃｍ〜３４ｃｍ）の一端に、端から５．５ｃｍ〜１１ｃｍの位置に折り目を付けた硬い芯地を付け、その芯地上に、キュプラの裏地のように滑りやすく人の肌にやさしい生地を付け、その芯地部（長さ１５ｃｍ〜２３ｃｍ）に、長さが４２ｃｍ〜５２ｃｍ、幅が１．０ｃｍ〜３．０ｃｍ、厚みが０．２ｃｍ〜０．５ｃｍの布紐の輪を付けている図１のような形状の布製の靴下すべりで、図２のように折り目に沿ってシャーリング仕上げの布地側に、靴下すべりを折った後、図３のように、滑り部先端を、靴下のつま先部９まで挿入する。図４のように、足を芯地部から挿入後、長い幅広の布紐の輪を、図５、図６、図７、図８の順に、引っ張って、靴下を引っ張り上げて履き、図９のように、靴下すべりを外して、他方の靴下履きに利用する。
【実施例】
【００１２】  芯地およびキュプラの裏地をパイル側の一部に付けても良い。【００１３】  内側の肌に当たる部分の布地は、シャーリング仕上げの布地の代わりに肌にささくれが出ていても引っ掛かりが少ないキュプラの裏地で構成しても良い。【００１４】  靴下と接触する部分の布地は、パイル地の代わりに、シャーリング仕上げの布地、ベルベット、ベッチーンを用いても良い。
【産業上の利用可能性】
【００１５】  変形性股関節症で股関節が９０度以上曲げられない、変形性膝関節症で膝関節の屈曲が困難などや、手先の力が弱まったりしたときや、肥満などにより、靴下に手が届きにくくなったときなど、介助者の手助け無しに、靴下が履ける用具
【図面の簡単な説明】
【００１６】
【図１】布製靴下すべり
【図２】布製靴下すべりを折り目に沿って折り曲げ
【図３】靴下に靴下すべりを挿入
【図４】靴下および靴下すべりに足を入れる
【図５】靴下すべりを引っ張る１
【図６】靴下すべりを引っ張る２
【図７】靴下すべりを引っ張る３
【図８】靴下すべりを引っ張る４
【図９】靴下すべりを外す
【符号の説明】
【００１７】  １    布製靴下すべり
２    滑り部
３    芯地部
４    布紐の輪
５    芯地部先端
６    折り目
７    滑り部先端
８    靴下
９    靴下すべり挿入先端位置
１０  手
１１  足
【図１】
2005305081.tif 000003
【図２】
2005305081.tif 000004
【図３】
2005305081.tif 000005
【図４】
2005305081.tif 000006
【図５】
2005305081.tif 000007
【図６】
2005305081.tif 000008
【図７】
2005305081.tif 000009
【図８】
2005305081.tif 000010
【図９】
2005305081.tif 000011